(57)【要約】【課題】コスト増および組み立て工数の増加を招くこと無く、確実に補助反射板と筐体との間の防水を図ることができる照明器具を提供する。【解決手段】天井面１１の取付孔１２に埋込可能な灯具２０には、ＬＥＤユニット５０の照射方向に補助反射板４０が設けられており、補助反射板４０と灯具２０との間にはパッキン２７が設けられている。補助反射板４０においてＬＥＤユニット５０側の開口部４３に設けられたリング板状の鍔部４２の内周側端部を、ＬＥＤユニット５０側に立ち上げて立上部４４を設けた。さらに、リング板状のパッキン２７の内周側端部２７２を立上部４４に沿って切欠いて切欠部２７３を設けた。これにより、パッキン２７は、灯具２０の周壁２２の下面２２１と補助反射板４０の鍔部４２との間において補助反射板４０の外側から浸入する水分を防水する。同時に、ＬＥＤユニット５０と補助反射板４０の鍔部４２との間において補助反射板４０の内側から浸入する水分を防水する。【選択図】図２
2015015133.tif 000002
【特許請求の範囲】
【請求項１】
被取付部の取付孔に埋込可能な灯具と、
前記灯具に設けられたＬＥＤユニットと、
前記灯具における前記ＬＥＤユニットの照射方向に設けられ、前記ＬＥＤユニット側の開口部に設けられたリング板状の鍔部を有する補助反射板と、
前記鍔部と前記灯具との間に設けられたリング板状のパッキンと、を有し、
前記鍔部の内周側端部を前記ＬＥＤユニット側に立ち上げた立上部を設けるとともに、
前記パッキンの内周側端部を前記立上部に沿って切欠いた切欠部を設けた照明器具。
【請求項２】
請求項１に記載の照明器具において、
前記パッキンの切欠部が傾斜面である照明器具。
【請求項３】
請求項１または請求項２に記載の照明器具において、
前記補助反射板の立上部の傾斜角度が、前記ＬＥＤユニットからの照射光によって前記立上部の内面に影を生じない角度である照明器具。
【発明の詳細な説明】
【技術分野】
【０００１】
本発明は、例えば天井等の被取付部に取り付けて下方を照明する照明器具に関するものである。
【背景技術】
【０００２】
従来、被取付部に取り付けて下方を照明する照明器具で、特に屋外に用いることができるものには、防水処理が施されている（例えば、特許文献１参照）。
図４に示すように、特許文献１に記載の照明器具１００は、天井等の取付孔に埋設可能な枠部１０１と、枠部１０１内に設けられたＬＥＤユニット部１０２とを有する。
ＬＥＤユニット部１０２の照射方向側には、ＬＥＤユニット部１０２からの光を所定の方向に反射する補助反射板１０３が設けられている。
【０００３】
補助反射板１０３は、ＬＥＤユニット部１０２側に開口部１０４を備え、開口部１０４に張り出して水平部１０５が形成されている。水平部１０５のＬＥＤユニット部１０２側面にはパッキン１０６が取り付けられている。
従って、補助反射板１０３は、パッキン１０６を介してＬＥＤユニット部１０２の照射側面に取り付けられる。
これにより、ＬＥＤユニット部１０２と補助反射板１０３の境界から雨水等の水分が浸入するのを防止している。
【先行技術文献】
【特許文献】
【０００４】
【特許文献１】特開２０１２−９９２６１号公報（第４図）
【発明の概要】
【発明が解決しようとする課題】
【０００５】
ところで、図５に示す照明器具１０７のように、ＬＥＤユニット部１０２に設けられている透明樹脂製のパネル１０９の下面１０９Ａと、ＬＥＤユニット部１０２を収容する筐体１０８の下端面１０８Ａとの間に段差がある場合がある。
このような場合には、補助反射板１０３とパネル１０９との間からの水分の浸入および筐体１０８と補助反射板１０３との間からの水分の浸入を、１個の平板状のパッキンで防止すると、段差のためパッキンを押し付ける押圧力が異なる。
このため、パッキンが均一に圧縮されず、防水性能が異なるため好ましくない。
【０００６】
従って、補助反射板１０３とパネル１０９との間から水分が浸入するのを防止するパッキン１１０Ａと、筐体１０８と補助反射板１０３との間から水分が浸入するのを防止するパッキン１１０Ｂとを設けるのが一般的である。
しかしながら、このように防水のために２個のパッキン１１０Ａ、１１０Ｂを設けると、部品点数の増加を招き、コスト増および組み立て工数の増加を招くという問題があった。
【０００７】
本発明は、従来の問題を解決するためになされたもので、コスト増および組み立て工数の増加を招くこと無く、確実に補助反射板と筐体との間の防水を図ることができる照明器具を提供することを目的とする。
【課題を解決するための手段】
【０００８】
本発明の照明器具は、被取付部の取付孔に埋込可能な灯具と、前記灯具に設けられたＬＥＤユニットと、前記灯具における前記ＬＥＤユニットの照射方向に設けられ、前記ＬＥＤユニット側の開口部に設けられたリング板状の鍔部を有する補助反射板と、前記鍔部と前記灯具との間に設けられたリング板状のパッキンと、を有し、前記鍔部の内周側端部を前記ＬＥＤユニット側に立ち上げた立上部を設けるとともに、前記パッキンの内周側端部を前記立上部に沿って切欠いた切欠部を設けたものである。
【０００９】
また、本発明の照明器具は、前記パッキンの切欠部が傾斜面であるものである。
【００１０】
さらに、本発明の照明器具は、前記補助反射板の立上部の傾斜角度が、前記ＬＥＤユニットからの照射光によって前記立上部の内面に影を生じない角度であるものである。
【発明の効果】
【００１１】
本発明では、灯具と補助反射板との間に設けたパッキンが、灯具の照射方向側端面と補助反射板の鍔部との間において補助反射板の外側から浸入する水分を防水するとともに、ＬＥＤユニットと鍔部との間において補助反射板の内側から浸入する水分を防水する。このため、灯具の照射方向側端面とＬＥＤユニットの照射側面との間に段差があっても、１個のパッキンで同様に防水することができ、コスト増および組み立て工数の増加を招くこと無く、確実に防水を図ることができるという効果を有する照明器具を提供できる。
【図面の簡単な説明】
【００１２】
【図１】本発明に係る実施形態の照明器具を下方から見た斜視図
【図２】（Ａ）は本発明に係る実施形態の照明器具を上下方向に切断した断面図であり、（Ｂ）は（Ａ）中Ｂ部分の拡大図
【図３】（Ａ）はパッキンを直線状に切欠いた場合の断面図であり、（Ｂ）はパッキンを下に凸の円弧状に切断した場合の断面図であり、（Ｃ）はパッキンを上に凸の円弧状に切断した場合の断面図
【図４】従来の一般的な照明器具の分解斜視図
【図５】従来の照明器具における問題点を示す要部断面図
【発明を実施するための形態】
【００１３】
以下、本発明に係る実施形態の照明器具について、図面を用いて説明する。
図１に示すように、実施形態の照明器具１０は、例えば被取付部である天井面１１（図２（Ａ）参照）に設けられている取付孔１２に取り付けて、主に下方を照明するダウンライトとすることができる。
なお、以下の説明においては、照射方向を下方（下側）とし、照射方向と反対側を上方（上側）として説明する。
【００１４】
図１および図２（Ｂ）に示すように、照明器具１０は、灯具２０、灯具２０を取付孔１２に取り付けるための枠体３０および灯具２０からの光を所定の方向および範囲に照射するための補助反射板４０を有する。
灯具２０は、全体円筒形状の灯具本体２１を有する。灯具本体２１の下端部には周壁２２が設けられており、周壁２２の内側には凹部２３が設けられている。凹部２３の上面である灯具本体２１の底面２３１には、ＬＥＤユニット５０が取り付けられている。
【００１５】
灯具本体２１の上端部には、外周面に多数の放熱フィン２４が設けられており、ＬＥＤユニット５０等が発する熱を放出する。
また、灯具本体２１の上面には、灯具本体２１から外側に張り出すブラケット２５が設けられている。張り出したブラケット２５の下面には、電源装置２６等が収容されている。電源装置２６は、天井面１１の上側（天井裏１３）に配線されている商用電源の電源線（図示省略）に接続されて電力の供給を受け、ＬＥＤユニット５０に点灯電力を供給するとともに配光を制御する。
【００１６】
ＬＥＤユニット５０は、灯具本体２１の底面２３１に取り付けられた基板５１を有する。基板５１の実装面（下面）には、１個または複数個のＬＥＤチップ５２が実装されており、電源装置２６から供給される電力により点灯する。
基板５１の下側には、ＬＥＤチップ５２から照射される光を所定の方向および範囲に照射あるいは反射する反射板５３が取り付けられている。反射板５３は、下方に向かって拡径する略円錐形状の反射面５３１を有する。
【００１７】
図２（Ａ）および（Ｂ）に示すように、反射板５３の下端部には、外側に拡がる水平部５３２が設けられており、水平部５３２の外周縁には下方に伸びる縦リブ５３３が設けられている。水平部５３２および縦リブ５３３は、全周にわたって設けられる。
水平部５３２の下側で縦リブ５３３の内側には、基板５１やＬＥＤチップ５２等を保護する透明樹脂からなるパネル５４が取り付けられる。
【００１８】
図１および図２（Ａ）に示すように、灯具２０におけるＬＥＤユニット５０の照射方向、すなわち灯具２０の下側には、補助反射板４０が取り付けられている。
補助反射板４０は、下方に向かうにつれて拡径する略円錐台形状の反射面４１を有する。
図２（Ａ）および（Ｂ）に示すように、反射面４１のＬＥＤユニット５０側の端部には開口部４３が設けられており、この開口部４３には、内側に水平に張り出すリング板状の鍔部４２が設けられている。鍔部４２は、少なくともＬＥＤユニット５０のパネル５４の外周面５４１よりも内側まで延びている。
【００１９】
鍔部４２の内周側端部は、ＬＥＤユニット５０側すなわち上側に折曲げられて立上部４４が形成されている。立上部４４の傾斜角度θは、ＬＥＤユニット５０からの照射光ＬＢによって立上部４４の下面に影が生じないような角度θに設定されている。すなわち、立上部４４の下面は、ＬＥＤユニット５０のＬＥＤチップ５２と反射板５３の反射面５３１の下端部とを結ぶ角度よりも鉛直側に立っている。
また、補助反射板４０の下端部は、外側に折曲げられてリング板状の枠４５が水平に設けられている。
なお、補助反射板４０の反射面４１の外側には、補助反射板４０を枠体３０に取り付けるために全体く字形状の取付金具４６が取り付けられている。
【００２０】
灯具２０と補助反射板４０との間には、リング板状のパッキン２７が設けられている。
図２（Ｂ）および図３（Ａ）に示すように、パッキン２７は、灯具２０の周壁２２の下面２２１と補助反射板４０の鍔部４２との間に介装される水平部２７１を有する。
水平部２７１の内周側端部２７２（図３（Ａ）において右端部）は、下面側が補助反射板４０の立上部４４に沿って角度θで切欠かれて切欠部２７３が形成されている。内周側端部２７２は、補助反射板４０の立上部４４と、ＬＥＤユニット５０のパネル５４との間に介装される。
【００２１】
切欠部２７３の下面は、補助反射板４０の立上部４４が直線的に立ち上げられている場合には、直線的な傾斜面２７４となるように形成される。
なお、図３（Ａ）に示すように、パッキン２７の内周側端部２７２を角度θで上方へ折曲げて形成することも可能である。
また、補助反射板４０の立上部４４が曲線的（例えば下に凸の円弧状）に立ち上げられている場合には、図３（Ｂ）に示すパッキン２７Ｂのように、切欠部２７３Ｂを下に凸の円弧状に設けることができる。この場合においても、立上部４４の下面に影が生じないように立上部４４を形成する。
さらに、補助反射板４０の立上部４４が上に凸の円弧状に立ち上げられている場合には、図３（Ｃ）に示すパッキン２７Ｃのように、切欠部２７３Ｃを上に凸の円弧状に設けることができる。この場合においても、立上部４４の下面に影が生じないように立上部４４を形成する。
【００２２】
図１および図２（Ａ）に示すように、灯具２０および補助反射板４０の外側には、灯具２０および補助反射板４０を取付孔１２に取り付けるための枠体３０が設けられている。
枠体３０は、灯具２０の下部および補助反射板４０の外側を覆う円筒形状の筒部３１と、筒部３１の下端部において外側に張り出したリング板状のフランジ３２を有する。筒部３１は、灯具本体２１の外周面に取り付けられている。フランジ３２は、シール材３３を介して補助反射板４０の鍔部４２の上面に当接する。
【００２３】
筒部３１の外周面には、所定間隔で複数個（例えば３個）の取付ばね３４が設けられている。取付ばね３４は、筒部３１の外周面に上下方向に設けられた溝３１１に沿って上下移動可能に設けられており、ばね部材（図示省略）により常時下方に付勢されている。
筒部３１の内側には、補助反射板４０を吊下げて上方へ付勢する補助反射板取付部３５が、補助反射板４０の外周面に設けられている取付金具４６に対応して複数個設けられている。
すなわち、補助反射板取付部３５は、補助反射板４０の取付金具４６を係止する係止部３５１を有しており、係止部３５１はばね部材（図示省略）により常時上方へ付勢されている。
【００２４】
次に、補助反射板４０を灯具２０に取り付ける取付作業について説明する。
枠体３０は灯具２０の外側に固定されている。枠体３０の補助反射板取付部３５に設けられている係止部３５１を補助反射板４０の取付金具４６に引っ掛けて、補助反射板４０を上方へ引き上げる。
このとき、補助反射板４０の鍔部４２の上にパッキン２７を載置しておく。なお、パッキン２７の内周側端部２７２の切欠部２７３の傾斜面２７４が、鍔部４２の立上部４４に当接するようにする。
【００２５】
これにより、補助反射板４０の下端の枠４５が、シール材３３を介して枠体３０のフランジ３２の下面に押し付けられるので、補助反射板４０が灯具２０の下側に取り付けられる。
このとき、補助反射板４０の上端部の鍔部４２が、パッキン２７の水平部２７１を介して灯具２０の周壁２２の下面２２１に押し付けられる。
同時に、補助反射板４０の鍔部４２の立上部４４が、パッキン２７の内周側端部２７２を介してＬＥＤユニット５０のパネル５４に押し付けられる。
【００２６】
次に、照明器具１０の取付孔１２への取付作業について説明する。
補助反射板４０を取り付けた灯具２０の上部を、下方から取付孔１２に挿入する。このとき、枠体３０の外周面から突出している取付ばね３４をばね部材（図示省略）の付勢力に抗して指で上方へ押し上げて、取付孔１２に引っ掛からないようにしておく。
枠体３０が取付孔１２に挿入されたら、指を外して、取付ばね３４を解放する。そして、天井面１１がシール材３３を介して枠体３０のフランジ３２に当接するまで、照明器具１０を取付孔１２に押し込む。
これにより、天井面１１がフランジ３２と取付ばね３４との間に挟持されて、照明器具１０が取付孔１２に取り付けられる。
【００２７】
次に、照明器具１０の作用効果について説明する。
天井面１１の取付孔１２に埋込可能な灯具２０には、ＬＥＤユニット５０の照射方向側に補助反射板４０が設けられており、補助反射板４０と灯具２０との間にはパッキン２７が設けられている。
そして、補助反射板４０においてＬＥＤユニット５０側の開口部４３に設けられたリング板状の鍔部４２の内周側端部を、ＬＥＤユニット５０側に立ち上げて立上部４４を設けた。
さらに、リング板状のパッキン２７の内周側端部２７２を、立上部４４に沿って切欠いて切欠部２７３を設けた。
【００２８】
これにより、パッキン２７は、灯具２０の周壁２２の下面２２１と、補助反射板４０の鍔部４２との間において補助反射板４０の外側から浸入する水分を防水する。同時に、ＬＥＤユニット５０と補助反射板４０の鍔部４２との間において補助反射板４０の内側から浸入する水分を防水する。
このため、灯具２０の周壁２２の下面２２１とＬＥＤユニット５０の下面との間に段差があっても、１個のパッキン２７を同等の圧縮率で圧縮することができるので、同様に防水を図ることができる。これにより、部品点数の増加を回避して、コスト増および組み立て工数の増加を回避することができる。
【００２９】
また、照明器具１０は、補助反射板４０の立上部４４に沿って切欠いたパッキン２７の切欠部２７３が傾斜面２７４であるので、パッキン２７と立上部４４が密着する。
これにより、確実に防水を図ることができる。また、パッキン２７が立上部４４により隠されるので、外観を向上できる。
【００３０】
さらに、照明器具１０は、補助反射板４０の立上部４４の傾斜角度θが、ＬＥＤユニット５０からの照射光ＬＢによって立上部４４の内面に影を生じない角度であるので、影の発生を防止して、外観を向上できる。
【００３１】
本発明の照明器具は、前述した実施形態に限定されるものでなく、適宜な変形、改良等が可能である。
【符号の説明】
【００３２】
１０  照明器具
１１  天井面（被取付部）
１２  取付孔
２０  灯具
２７  パッキン
２７２  内周側端部
２７３  切欠部
２７４  傾斜面
４０  補助反射板
４２  鍔部
４３  開口部
４４  立上部
５０  ＬＥＤユニット
θ  傾斜角度
【図１】
2015015133.tif 000003
【図２】
2015015133.tif 000004
【図３】
2015015133.tif 000005
【図４】
2015015133.tif 000006
【図５】
2015015133.tif 000007